(57)【要約】【課題】ネットワークプレーヤにおいて、ユーザが音声データ再生時の音量値を好みの音量値に設定する手間を軽減させる。【解決手段】音楽等の音声データや動画データなどが記憶されたネットワークサーバと、音声データを再生することができるネットワークプレーヤとがホームネットワーク上で接続されている。ユーザがリモコンを用いて再生したい音声データを指示すると、ネットワークプレーヤは、ユーザによって再生が指示された音声データのファイル名を基に、メモリにこの音声データの前回再生時の音量値が記憶されているか否かを検索し（Ｓ１）、音量設定情報が記憶されている場合（Ｓ２でＹＥＳ）、スピーカから出力するこの音声データ再生時の音量値に、記憶されている前回再生時の音量値を自動的に設定する（Ｓ３）。【選択図】図３
2008181581.tif 000002
【特許請求の範囲】
【請求項１】
音楽などの音声データが記憶されたネットワークサーバを含むホームネットワークに接続され、
音声データの受信を行うためのネットワークインタフェースと、
ユーザによって音声データの再生や音量調整の指示を装置に与えるための操作ボタンを有する操作手段と、
各種メッセージの表示を行うための表示手段と、
音声データに含まれる音声を出力するための音声出力手段と、
装置全体を制御するための制御プログラムを記憶する記憶手段と、
音声データの再生や装置各部の制御のための制御手段とを備えるネットワークプレーヤにおいて、
前記記憶手段は、前記ネットワークサーバ上に記憶された音声データのうち、前記操作手段を用いてユーザにより音量値の設定が指示された音声データのファイル名、ネットワークサーバの識別ＩＤ、ポート番号、パス、及び音声データ再生時の音量値を含む音量設定情報をさらに記憶し、
前記制御手段は、
前記ネットワークサーバに記憶された音声データのうち、前記操作手段を用いてユーザにより指示された音声データを再生するときに、この音声データのファイル名を基にして、前記記憶手段にこの音声データの前回再生時の音量値が記憶されているか否かを検索し、記憶されている場合、この音声データ再生時の音量値に、記憶されている前回再生時の音量値を自動的に設定し、
前記操作手段を用いてユーザにより音量値の設定が指示されたときに、音量値の設定対象となる音声データのファイル名を基にして、前記記憶手段にこの音声データの前回再生時の音量値が記憶されているか否かを検索し、記憶されている場合、記憶されている前回再生時の音量値を更新し、記憶されていない場合、この音声データについて前回再生時の音量値を含む前記音量設定情報を前記記憶手段に記憶し、
前記記憶手段に記憶されたある音量設定情報を削除するときに、削除対象となる音量設定情報に対応する音声データのファイル名を基にして、前記記憶手段にこの音声データの音量設定情報が記憶されているか否かを検索し、記憶されている場合、この音量設定情報を削除することを特徴とするネットワークプレーヤ。
【請求項２】
音声データが記憶されたネットワークサーバを含むホームネットワークに接続され、
各種データの受信を行うためのネットワークインタフェースと、
ユーザによって音声データの再生や音量調整の指示を装置に与えるための操作ボタンを有する操作手段と、
音声データに含まれる音声を出力するための音声出力手段と、
装置全体を制御するための制御プログラムを記憶する記憶手段と、
装置各部を制御するための制御手段とを備えるネットワークプレーヤにおいて、
前記記憶手段は、前記ネットワークサーバ上に記憶された音声データのうち、前記操作手段を用いてユーザにより音量値の設定が指示されたときに、音声データのファイル名、及び音声データ再生時の音量値を含む音量設定情報をさらに記憶し、
前記制御手段は、
前記ネットワークサーバに記憶された音声データのうち、前記操作手段を用いてユーザにより指示された音声データを再生するときに、この音声データのファイル名を基にして、前記記憶手段にこの音声データの前回再生時の音量値が記憶されているか否かを検索し、記憶されている場合、この音声データ再生時の音量値に、記憶されている前回再生時の音量値を自動的に設定し、
前記操作手段を用いてユーザにより音量値の設定が指示されたときに、音量値の設定対象となる音声データのファイル名を基にして、前記記憶手段にこの音声データの前回再生時の音量値が記憶されているか否かを検索し、記憶されている場合、記憶されている前回再生時の音量値を更新し、記憶されていない場合、この音声データについて前回再生時の音量値を含む前記音量設定情報を前記記憶手段に記憶することを特徴とするネットワークプレーヤ。
【請求項３】
前記制御手段は、
前記記憶手段に記憶されたある音量設定情報を削除するときに、削除対象となる音量設定情報に対応する音声データのファイル名を基にして、前記記憶手段にこの音声データの音量設定情報が記憶されているか否かを検索し、記憶されている場合、この音量設定情報を削除することを特徴とする請求項２に記載のネットワークプレーヤ。
【発明の詳細な説明】
【技術分野】
【０００１】
本発明は、ネットワークプレーヤに関し、特に再生時の音量値の自動設定技術に関する。
【背景技術】
【０００２】
従来から、音楽などの音声データを再生することができるネットワークプレーヤと、音声データ等を記憶することができるネットワークサーバとがホームネットワークを介して接続され、ネットワークサーバから音声データを受信したネットワークプレーヤが受信した音声データを再生することができるシステムが知られている。ネットワークプレーヤが受信した音声データについては、音声データ毎に再生時の既定の音量値が異なっていることが多く、ユーザは好みの音量値で音声データを再生するために、音声データ毎に手動で好みの音量値を設定する必要があり、ユーザの手間が掛かるという問題がある。
【０００３】
ところで、特許文献１には、各ＣＤ等に録音された音声データを再生するときに、スピーカから出力される音量値が一定になるように自動的に音量値を設定する機能を備えたネットワークプレーヤが開示されている。しかし、このネットワークプレーヤでは、音声データ毎に再生時の音量値をユーザの好みに応じて自動的に設定することができないため、上記問題を解決できない。
【特許文献１】特開２００３−１６２８８３号公報
【発明の開示】
【発明が解決しようとする課題】
【０００４】
本発明は、上記課題を解決するためになされたものであり、ユーザが音声データ再生時の音量値を好みの音量値に設定する手間を軽減させることができるネットワークプレーヤを提供することを目的とする。
【課題を解決するための手段】
【０００５】
上記目的を達成するために請求項１の発明は、音楽などの音声データが記憶されたネットワークサーバを含むホームネットワークに接続され、音声データの受信を行うためのネットワークインタフェースと、ユーザによって音声データの再生や音量調整の指示を装置に与えるための操作ボタンを有する操作手段と、各種メッセージの表示を行うための表示手段と、音声データに含まれる音声を出力するための音声出力手段と、装置全体を制御するための制御プログラムを記憶する記憶手段と、音声データの再生や装置各部の制御のための制御手段とを備えるネットワークプレーヤにおいて、前記記憶手段は、前記ネットワークサーバ上に記憶された音声データのうち、前記操作手段を用いてユーザにより音量値の設定が指示された音声データのファイル名、ネットワークサーバの識別ＩＤ、ポート番号、パス、及び音声データ再生時の音量値を含む音量設定情報をさらに記憶し、前記制御手段は、前記ネットワークサーバに記憶された音声データのうち、前記操作手段を用いてユーザにより指示された音声データを再生するときに、この音声データのファイル名を基にして、前記記憶手段にこの音声データの前回再生時の音量値が記憶されているか否かを検索し、記憶されている場合、この音声データ再生時の音量値に、記憶されている前回再生時の音量値を自動的に設定し、前記操作手段を用いてユーザにより音量値の設定が指示されたときに、音量値の設定対象となる音声データのファイル名を基にして、前記記憶手段にこの音声データの前回再生時の音量値が記憶されているか否かを検索し、記憶されている場合、記憶されている前回再生時の音量値を更新し、記憶されていない場合、この音声データについて前回再生時の音量値を含む前記音量設定情報を前記記憶手段に記憶し、前記記憶手段に記憶されたある音量設定情報を削除するときに、削除対象となる音量設定情報に対応する音声データのファイル名を基にして、前記記憶手段にこの音声データの音量設定情報が記憶されているか否かを検索し、記憶されている場合、この音量設定情報を削除するものである。
【０００６】
請求項２の発明は、音声データが記憶されたネットワークサーバを含むホームネットワークに接続され、各種データの受信を行うためのネットワークインタフェースと、ユーザによって音声データの再生や音量調整の指示を装置に与えるための操作ボタンを有する操作手段と、音声データに含まれる音声を出力するための音声出力手段と、装置全体を制御するための制御プログラムを記憶する記憶手段と、装置各部を制御するための制御手段とを備えるネットワークプレーヤにおいて、前記記憶手段は、前記ネットワークサーバ上に記憶された音声データのうち、前記操作手段を用いてユーザにより音量値の設定が指示されたときに、音声データのファイル名、及び音声データ再生時の音量値を含む音量設定情報をさらに記憶し、前記制御手段は、前記ネットワークサーバに記憶された音声データのうち、前記操作手段を用いてユーザにより指示された音声データを再生するときに、この音声データのファイル名を基にして、前記記憶手段にこの音声データの前回再生時の音量値が記憶されているか否かを検索し、記憶されている場合、この音声データ再生時の音量値に、記憶されている前回再生時の音量値を自動的に設定し、前記操作手段を用いてユーザにより音量値の設定が指示されたときに、音量値の設定対象となる音声データのファイル名を基にして、前記記憶手段にこの音声データの前回再生時の音量値が記憶されているか否かを検索し、記憶されている場合、記憶されている前回再生時の音量値を更新し、記憶されていない場合、この音声データについて前回再生時の音量値を含む前記音量設定情報を前記記憶手段に記憶するものである。
【０００７】
請求項３の発明は、請求項２に記載のネットワークプレーヤにおいて、前記制御手段は、前記記憶手段に記憶されたある音量設定情報を削除するときに、削除対象となる音量設定情報に対応する音声データのファイル名を基にして、前記記憶手段にこの音声データの音量設定情報が記憶されているか否かを検索し、記憶されている場合、この音量設定情報を削除するものである。
【発明の効果】
【０００８】
本発明によれば、ネットワークサーバに記憶された音声データのうち、ユーザにより指示された音声データを再生するときに、記憶手段にこの音声データの前回再生時の音量値が記憶されている場合、この音声データ再生時の音量値に、記憶されている前回再生時の音量値を自動的に設定する。そのため、音声データ毎にユーザは好みの音量値で音声データを再生することができ、ユーザが音声データ再生時の音量値を好みの音量値に設定する手間を軽減させることができる。
【発明を実施するための最良の形態】
【０００９】
以下、本発明の一実施形態に係るネットワークプレーヤについて、図１を参照して説明する。図１は、音楽等の音声データや動画データなどが記憶されたＤＭＳ（Ｄｉｇｉｔａｌ  Ｍｅｄｉａ  Ｓｅｒｖｅｒ）等のネットワークサーバ３と、音声データを再生することができるＤＭＰ（Ｄｉｇｉｔａｌ  Ｍｅｄｉａ  Ｐｌａｙｅｒ）等のネットワークプレーヤ２とがネットワークケーブル４を介して接続されたホームネットワーク１を示す。
【００１０】
ネットワークサーバ３は、ネットワークケーブル４が接続されるネットワークインタフェース（図示せず）と、音声データ等のデータが記憶されたＨＤＤ３１と、ネットワークサーバ３の各部を制御する制御部（図示せず）とを備える。ネットワークサーバ３は、ネットワークプレーヤ２から送信された制御コマンド等を受信し、受信した制御コマンド等に基づいて、指示された音声データ等をネットワークプレーヤ２に送信する。
【００１１】
次に、ネットワークプレーヤ２の内部構成について、図２を参照して説明する。図２は、ネットワークプレーヤ２の内部構成を示す。ネットワークプレーヤ２は、リモコン５（操作手段）により操作され、ネットワークサーバ３から送信された音声データを受信し、再生することができる。ネットワークプレーヤ２は、各種メッセージの表示を行うためのディスプレイ（表示手段）２１と、音声データに基づく音声を出力するためのスピーカ（音声出力手段）２２と、音声データの受信や制御コマンド等の送信を行うためのネットワークインタフェース２３と、装置全体を制御するための制御プログラムを記憶するメモリ（記憶手段）２４とを備える。また、ネットワークプレーヤ２は、音声データの再生や装置各部の制御を行うための制御用マイコン（制御手段）２６と、リモコン５から送信された信号を受光し、制御用マイコン２６へ出力するリモコン信号受信部２５とをさらに備える。
【００１２】
メモリ２４は、ネットワークサーバ３のＨＤＤ３１に記憶されている音声データのうち、ユーザがリモコン５を用いてユーザにより音量値の設定が指示された音声データの音量設定情報をさらに記憶している。音量設定情報は、ファイル名、ＭＡＣアドレス（ネットワークサーバの識別ＩＤ）、ポート番号、パス、及び音声データ再生時の音量値を含む情報であり、詳細は後述する。リモコン５は、ユーザによって音声データの再生の指示を装置に与える再生ボタン（操作ボタン）５１、音声データ再生時の音量値の指示を装置に与える音量値設定ボタン（操作ボタン）５２、及び他の各種の指示を装置に与えるための操作ボタン（操作ボタン）５３を有する。
【００１３】
次に、ネットワークプレーヤ２の音声データ再生時の音量値の自動設定処理について、図３を参照して説明する。ここでは、ネットワークプレーヤ２のメモリ２４に予め音量設定情報が記憶されているものとし、ユーザがリモコン５を用いて再生したい音声データを指示して、ネットワークプレーヤ２はネットワークサーバ３から指示された音声データをダウンロードするものとする。
【００１４】
まず、制御用マイコン２６は、ユーザによって再生が指示された音声データのファイル名を基に、メモリ２４にこの音声データの前回再生時の音量値が記憶されているか否かを検索し（Ｓ１）、記憶されている場合（Ｓ２でＹＥＳ）、スピーカ２２から出力するこの音声データ再生時の音量値に、記憶されている前回再生時の音量値を自動的に設定する（Ｓ３）。
【００１５】
上記Ｓ１において、この音声データの前回再生時の音量値が記憶されていない場合（Ｓ２でＮＯ）、上記Ｓ３の処理を行わない。そのため、スピーカ２２から出力するこの音声データの再生時の音量値は、ユーザがリモコン５の音量値設定ボタン５２を操作することにより設定する。
【００１６】
次に、ネットワークプレーヤ２の音量設定情報の設定処理について、図４を参照して説明する。ここでは、予め、リモコン５を用いてユーザにより音量値の設定が指示されているものとする。まず、制御用マイコン２６は、音量値の設定対象となる音声データのファイル名を基にして、メモリ２４にこの音声データの前回再生時の音量値を含む音量設定情報が記憶されているか否かを検索し（Ｓ１１）、記憶されている場合（Ｓ１２でＹＥＳ）、記憶されている前回再生時の音量値を更新する（Ｓ１３）。
【００１７】
上記Ｓ１１において、この音声データの前回再生時の音量値が記憶されていない場合（Ｓ１２でＮＯ）、制御用マイコン２６は、音声データのファイル名、パス、ＭＡＣアドレス、ポート番号、及び音量値等を含む音量設定情報を作成し（Ｓ１４）、作成した音量設定情報をメモリ２４に記憶する（Ｓ１５）。
【００１８】
次に、ネットワークプレーヤ２の音量設定情報の削除処理について、図５を参照して説明する。ここでは、予め、リモコン５を用いてユーザによりある音声データの前回再生時の音量値を含む音量設定情報の削除が指示されているものとする。まず、制御用マイコン２６は、削除対象となる音量設定情報に対応する音声データのファイル名を基にして、メモリ２４にこの音声データの音量設定情報が記憶されているか否かを検索し（Ｓ２１）、記憶されている場合（Ｓ２２でＹＥＳ）、この音量設定情報を削除する（Ｓ２３）。一方、記憶されていない場合（Ｓ２２でＮＯ）、上記Ｓ２３の処理を行わない。
【００１９】
次に、メモリ２４に記憶されている音量設定情報について、図６を参照して説明する。図６は、複数の音量設定情報を有するリストの一例を示す。図６に示すように、リスト６中の音量設定情報は、ナンバー（Ｎｏ．）６１、音声データのファイル名６２、音声データ再生時の音量値（音量）６３、ネットワークサーバ３のＭＡＣアドレス（ＭＡＣアドレス）６４、ネットワークサーバ３のポート番号（ポート）６５、ネットワークサーバ３のＨＤＤ３１内のパス６６、及びその他情報６７を含むものである。
【００２０】
上記のように、本発明の一実施形態に係るネットワークプレーヤ２によれば、ネットワークサーバ３のＨＤＤ３１に記憶された音声データのうち、ユーザにより指示された音声データを再生するときに、メモリ２４にこの音声データの前回再生時の音量値が記憶されている場合、この音声データ再生時の音量値に、記憶されている前回再生時の音量値を自動的に設定する。そのため、音声データ毎にユーザは好みの音量値で音声データを再生することができ、ユーザが音声データ再生時の音量値を好みの音量値に設定する手間を軽減させることができる。
【００２１】
また、メモリ２４に記憶された音量設定情報に含まれる音量値を更新することができるので、ユーザがある音声データ再生時の音量値を何度も好みの音量値に設定することができる。また、メモリ２４から音量設定情報を削除することができるため、ホームネットワーク１に接続されたネットワークサーバの撤去等により、不要となった音量設定情報をメモリ２４から削除することができる。そのため、メモリ２４に必要な音量設定情報のみを記憶させることができ、メモリ２４の記憶容量を効率よく利用することができる。
【００２２】
なお、本発明は、上記実施形態の構成に限定されるものではなく、発明の趣旨を変更しない範囲で種々の変更が可能である。例えば、上記実施形態では、ホームネットワーク１に、１台のネットワークサーバ３と１台のネットワークプレーヤ２が接続されている例を示したが、これに限られず、ホームネットワーク１上に接続されるネットワークサーバ及びネットワークプレーヤの台数は任意の数であってもよい。
【図面の簡単な説明】
【００２３】
【図１】本発明の一実施形態に係るネットワークプレーヤとネットワークサーバとが接続されたホームネットワークを示す図。
【図２】上記ネットワークプレーヤの内部構成を示すブロック図。
【図３】上記ネットワークプレーヤにおける音声データ再生時の音量値の自動設定処理を示すフローチャート。
【図４】上記ネットワークプレーヤにおける音量設定情報の設定処理を示すフローチャート。
【図５】上記ネットワークプレーヤにおける音量設定情報の削除処理を示すフローチャート。
【図６】上記ネットワークプレーヤの音声設定情報を示す図。
【符号の説明】
【００２４】
１  ホームネットワーク
２  ネットワークプレーヤ
３  ネットワークサーバ
５  リモコン（操作手段）
２１  ディスプレイ（表示手段）
２２  スピーカ（音声出力手段）
２３  ネットワークインタフェース
２４  メモリ（記憶手段）
２６  制御用マイコン（制御手段）
３１  ＨＤＤ（音声データ）
５１  再生ボタン（操作ボタン）
５２  音量調整ボタン（操作ボタン）
６２  ファイル名
６３  音量（音量値）
６４  ＭＡＣアドレス（ネットワークサーバの識別ＩＤ）
６５  ポート
６６  パス
【図１】
2008181581.tif 000003
【図２】
2008181581.tif 000004
【図３】
2008181581.tif 000005
【図４】
2008181581.tif 000006
【図５】
2008181581.tif 000007
【図６】
2008181581.tif 000008